(57)【要約】【課題】回路規模を増大させることなく位相雑音を抑圧した高品質なローカル信号を生成して受信処理を行うこと。【解決手段】送信側で、パイロットシンボル挿入部１９が送信データに対して周波数軸上の特定周波数に無変調のパイロットシンボルを時間方向に連続的に挿入してＯＦＤＭ変調した無線信号を送信する。受信側で、上記無線信号と同様にパイロットシンボルが挿入されＯＦＤＭ変調された無線信号を受信すると、パイロットシンボル抽出回路１４は受信した無線信号の変調信号からパイロットシンボルを抽出し、ＰＬＬ回路１５は、抽出されたパイロットシンボルをリファレンス信号にしてローカル信号を生成し、ミキサ１３は、このローカル信号により受信した無線信号を周波数変換する。【選択図】      図１
2011193383.tif 000002
【特許請求の範囲】
【請求項１】
送信データに対して周波数軸上の特定周波数に無変調のパイロットシンボルを時間方向に連続的に挿入するパイロットシンボル挿入手段を備え、前記パイロットシンボルが挿入された送信データをＯＦＤＭ（Orthogonal Frequency Division Multiplexing）変調した無線信号を送信する送信部と、
通信相手から、前記無線信号と同様に前記パイロットシンボルが挿入されＯＦＤＭ変調された無線信号を受信し、その受信無線信号を第１の受信無線信号と第２の受信無線信号とに分配する分配手段と、前記分配された第１の受信無線信号から前記パイロットシンボルのキャリヤを抽出して出力するパイロットシンボル抽出手段と、前記キャリヤをリファレンス信号にしてローカル信号を生成するローカル信号生成手段とを備え、前記ローカル信号により前記第２の受信無線信号を周波数変換する受信部と
を具備することを特徴とする無線通信装置。
【請求項２】
前記パイロットシンボル挿入手段は、周波数軸上の複数の周波数に前記パイロットシンボルを挿入することを特徴とする請求項１に記載の無線通信装置。
【請求項３】
前記変調信号は、周波数軸上の複数の周波数に対応する前記パイロットシンボルを含み、
前記パイロットシンボル抽出手段は、前記パイロットシンボルの間に対応する差分周波数を抽出することを特徴とする請求項２に記載の無線通信装置。
【請求項４】
前記パイロットシンボル挿入手段は、前記通信相手の伝送領域及び変調方式に応じてパイロットシンボルを挿入することを特徴とする請求項１に記載の無線通信装置。
【請求項５】
前記パイロットシンボル挿入手段は、前記端末の使用する変調方式、着信電力、エラー発生率、及び再送回数の少なくとも１つの状態を監視し、当該監視データを予め定めた基準と参照比較してパイロットシンボルを挿入するか否かを判定することを特徴とする請求項４に記載の無線通信装置。
【請求項６】
通信相手との間で無線信号を送受信する無線通信装置に用いられる方法であって、
送信データに対して周波数軸上の特定周波数に無変調のパイロットシンボルを時間方向に連続的に挿入するパイロットシンボル挿入ステップを有し、前記パイロットシンボルが挿入された送信データをＯＦＤＭ（Orthogonal Frequency Division Multiplexing）変調した無線信号を送信し、
前記通信相手から、前記無線信号と同様に前記パイロットシンボルが挿入されＯＦＤＭ変調された無線信号を受信し、その受信無線信号を第１の受信無線信号と第２の受信無線信号とに分配する分配ステップと、前記分配された第１の受信無線信号から前記パイロットシンボルのキャリヤを抽出して出力するパイロットシンボル抽出ステップと、前記キャリヤをリファレンス信号にしてローカル信号を生成するローカル信号生成ステップとを有し、前記ローカル信号により前記第２の受信無線信号を周波数変換することを特徴とするローカル信号処理方法。
【請求項７】
前記パイロットシンボル挿入ステップは、周波数軸上の複数の周波数に前記パイロットシンボルを挿入することを特徴とする請求項６に記載のローカル信号処理方法。
【請求項８】
前記変調信号は、周波数軸上の複数の周波数に対応する前記パイロットシンボルを含み、
前記パイロットシンボル抽出ステップは、前記パイロットシンボルの間に対応する差分周波数を抽出することを特徴とする請求項７に記載のローカル信号処理方法。
【請求項９】
前記パイロットシンボル挿入ステップは、前記通信相手の伝送領域及び変調方式に応じてパイロットシンボルを挿入することを特徴とする請求項６に記載のローカル信号処理方法。
【請求項１０】
前記パイロットシンボル挿入ステップは、前記端末の使用する変調方式、着信電力、エラー発生率、及び再送回数の少なくとも１つの状態を監視し、当該監視データを予め定めた基準と参照比較してパイロットシンボルを挿入するか否かを判定することを特徴とする請求項９に記載のローカル信号処理方法。
【発明の詳細な説明】
【技術分野】
【０００１】
この発明は、ＯＦＤＭ（Orthogonal Frequency Division Multiplexing）変調を用いて無線通信を行う無線通信装置およびローカル信号処理方法に関する。
【背景技術】
【０００２】
近年の高速伝送通信においては、地上波デジタル無線回線のような固定型通信だけでなく、携帯電話のような移動通信や、ＢＷＡ（Broad Band Wireless Access）などのような半固定型通信においても多値化変調ＱＡＭ方式及びＯＦＤＭ方式を用いた変調方式が利用されている。最近では６４ＱＡＭだけでなく、１２８ＱＡＭや２５６ＱＡＭといった方式が採用されているが、多値化を進めることで伝送容量を増やすことができる一方で、シンボル間の干渉が相対的に大きくなり実効的なスループットに影響を与える。シンボル間干渉の要因には、無線回線での劣化要因（例えばフェージング）・受信系回路における劣化要因（例えばＮＦ）などに加えて、送信系回路に於いても以下に示すような複数の劣化要因がある（デジタル処理部における信号処理精度、変調器の直交誤差、局部発振器の位相雑音（Phase Noise）やＡＭＰの非線形歪みなど）。この中で位相雑音の影響については局部発振器を構成する部品（位相器、ＶＣＯなど）の性能に起因するものが支配的であり、部品の選定による改善を行うことはできたものの、これを軽減するための送受信アーキテクチャを提案するものが少なかった。
【０００３】
従来、局部発振器の位相雑音を改善するには、低ノイズの位相器、位相雑音特性の良いＶＣＯを用い、システム（復調器の性能）にマッチしたループフィルタ設計によるＰＬＬ回路を構成することにより行っていた。また、回路設計上の工夫により位相雑音特性の改善を図る場合には、ループのカットオフ周波数を低域に設定するなどの例があるが、そうすることにより外部からのタッピング（振動などの）ノイズに弱くなるといった弊害があった。
【０００４】
そこで、位相雑音を改善する公知技術として、ダブルコンバージョンと呼ばれる二重周波数変換器を用いた手法が提案されている（例えば、特許文献１乃至３を参照。）。
【先行技術文献】
【特許文献】
【０００５】
【特許文献１】特開２００６−２２９４０４公報
【特許文献２】特開平８−１０７３１５公報
【特許文献３】特開平５−２０６８７６公報
【発明の概要】
【発明が解決しようとする課題】
【０００６】
ところが、上述したような手法では、回路の構成の増大化や複雑化を招き、コストアップなどの問題があった。
【０００７】
この発明は上記事情に着目してなされたもので、その目的とするところは、回路規模を増大させることなく位相雑音を抑圧した高品質なローカル信号を生成して受信処理を行う無線通信装置およびローカル信号処理方法を提供することにある。
【課題を解決するための手段】
【０００８】
上記目的を達成するために、この発明の一態様は、送信データに対して周波数軸上の特定周波数に無変調のパイロットシンボルを時間方向に連続的に挿入するパイロットシンボル挿入手段を備え、前記パイロットシンボルが挿入された送信データをＯＦＤＭ変調した無線信号を送信する送信部と、通信相手から、前記無線信号と同様に前記パイロットシンボルが挿入されＯＦＤＭ変調された無線信号を受信し、その受信無線信号を第１の受信無線信号と第２の受信無線信号とに分配する分配手段と、前記分配された第１の受信無線信号から前記パイロットシンボルのキャリヤを抽出して出力するパイロットシンボル抽出手段と、前記キャリヤをリファレンス信号にしてローカル信号を生成するローカル信号生成手段とを備え、前記ローカル信号により前記第２の受信無線信号を周波数変換する受信部とを具備することを特徴とする無線通信装置を提供する。
【０００９】
またこの発明の他の態様は、通信相手との間で無線信号を送受信する無線通信装置に用いられる方法であって、送信データに対して周波数軸上の特定周波数に無変調のパイロットシンボルを時間方向に連続的に挿入するパイロットシンボル挿入ステップを有し、前記パイロットシンボルが挿入された送信データをＯＦＤＭ変調した無線信号を送信し、前記通信相手から、前記無線信号と同様に前記パイロットシンボルが挿入されＯＦＤＭ変調された無線信号を受信し、その受信無線信号を第１の受信無線信号と第２の受信無線信号とに分配する分配ステップと、前記分配された第１の受信無線信号から前記パイロットシンボルのキャリヤを抽出して出力するパイロットシンボル抽出ステップと、前記キャリヤをリファレンス信号にしてローカル信号を生成するローカル信号生成ステップとを有し、前記ローカル信号により前記第２の受信無線信号を周波数変換することを特徴とするローカル信号処理方法を提供する。
【発明の効果】
【００１０】
したがってこの発明によれば、回路規模を増大させることなく位相雑音を抑圧した高品質なローカル信号を生成して受信処理を行う無線通信装置およびローカル信号処理方法を提供することができる。
【図面の簡単な説明】
【００１１】
【図１】本発明の第１実施形態に係る無線通信装置の構成を示すブロック図。
【図２】第１実施形態のパイロットシンボル挿入例を示す図。
【図３】本発明の第２実施形態のパイロットシンボル挿入例を示す図。
【図４】第２実施形態の受信側のパイロットシンボル抽出回路の構成を示すブロック図。
【図５】本発明の第３実施形態のパイロットシンボル挿入例を示す図。
【図６】第３実施形態のパイロットシンボル挿入部の構成を示すブロック図。
【図７】第３実施形態のパイロット配置制御部の動作の一例を示すフローチャート。
【発明を実施するための形態】
【００１２】
以下、図面を参照しながら本発明の実施の形態を詳細に説明する。  
（第１実施形態）  
本発明に係る第１実施形態は、単一の固定周波数上（同一サブキャリア）にパイロットシンボルを割り当て、位相雑音特性の改善に用いるものである。
【００１３】
図１は、第１実施形態に係る無線通信装置の構成を示す機能ブロック図である。この無線通信装置は、送信側ブロックと、受信側ブロックとを持つ構成であるが、送受信のアンテナを共用とせず、送信、受信アンテナをそれぞれ持つものでも良い。
【００１４】
この無線通信装置は、送信側ブロックとして、変調部１、Ｄ／Ａコンバータ２、ミキサ３、水晶発振器４、ＰＬＬ（Phase Locked Loop）回路５、送信フィルタ６、増幅部７、及びパイロットシンボル挿入部１９を備える。受信側ブロックとして、低雑音増幅器１０、分配器１１、遅延器１２、ミキサ１３、パイロットシンボル抽出回路１４、ＰＬＬ回路１５、受信フィルタ１６、Ａ／Ｄコンバータ１７、及び復調部１８を備える。さらに、送受信において共に用いられるアンテナ共用器８とアンテナ９とを備える。
【００１５】
送信側ブロックの動作について述べる。送信時において、変調部１は、変調方式として、ＱＡＭ（Quadrature Amplitude Modulation）とＯＦＤＭ（Orthogonal Frequency Division Multiplexing）とを用いて送信データを変調する。パイロットシンボル挿入部１９は、ＯＦＤＭ変調に先立って送信データに対してパイロットシンボルを挿入する。
【００１６】
また、後述の様にパイロットシンボルを挿入するか否かを、復調部１８が相手先から受信した無線信号を復調したデータのエラー状況等を所定の判定基準と参照して決定する様にしてもよい。図２は、第１実施形態のパイロットシンボルの挿入例を示したものである。例えば、図２に示すように、パイロットシンボル挿入部１９は、送信データのＯＦＤＭ変調波に対して単一の固定周波数に連続して無変調のキャリヤとなるパイロットシンボルデータを挿入する。
【００１７】
変調部１で変調された信号は、Ｄ／Ａコンバータ２でアナログ信号に変換され、ミキサ３において水晶発振器４からの基準信号からＰＬＬ回路５により生成されたローカル信号とミキシングされ、ＲＦ（Radio frequency）信号に変換される。さらに、ＲＦ信号は、送信フィルタ６を経て増幅器７で増幅されたのち、アンテナ共用器８経由してアンテナ９から送信される。
【００１８】
次に、受信側ブロックについて述べる。アンテナ９により受信された無線信号は、共用器８を経て、低雑音増幅部１０で増幅される。増幅された無線信号は、分配器１１により遅延器１２とパイロットシンボル抽出回路１４とに分配して出力される。パイロットシンボル抽出回路１４は、送信側で挿入されたパイロットシンボルのキャリヤを無線信号から抽出し、ＰＬＬ回路１５に供給する。
【００１９】
パイロットシンボル抽出回路１４は、パイロットシンボル挿入部１９からパイロットシンボルの挿入条件を通知されるか、又は予め抽出条件を設定されることにより、送信した無線信号と同様にパイロットシンボルが挿入された無線信号を受信し、それからパイロットシンボル、即ちキャリヤの抽出することを可能にしている。
【００２０】
ＰＬＬ回路１５は、抽出されたパイロットシンボルのキャリヤをリファレンス信号にしてローカル信号を生成して出力する局部発振器として動作する。
【００２１】
分岐された他方の無線信号は、ＰＬＬ回路１５から出力されるリファレンス信号とタイミングが揃うようパイロットシンボル抽出回路１４およびＰＬＬ回路１５とでの処理時間相当の遅延時間が遅延器１２で加えられてミキサ１３へ入力される。
【００２２】
そして、ミキサ１３に入力されたローカル信号と無線信号とを混合してベースバンド信号に変換することにより位相雑音を相殺する。
【００２３】
即ち、相手先から受信したパイロットシンボルから生成してミキサ１３に入力されるローカル信号と無線信号とは、位相雑音が同じタイミングで揃って発生しているのでそれらの雑音は相殺されてミキサ１３からは出力されない。
【００２４】
位相雑音が相殺されたベースバンドの（ＯＦＤＭ）変調信号は、受信フィルタ１６により波形整形と帯域外成分の除去を行い、Ａ／Ｄコンバータ１７でデジタル信号に変換される。復調部１８は、ＦＦＴ（Fast Fourier Transform）により得られる各サブキャリアに対してシンボル判定を行うことで受信データに復調する。
【００２５】
以上述べたように、上記第１実施形態では、送信側（基地局側）においてＯＦＤＭ信号上のパイロットシンボルを無変調信号にして特定のサブキャリアに挿入し、これを受信側（端末側）で抽出し局部発振器のリファレンス信号とすることで、送信側と同じ位相雑音成分が保持され、ミキサによる周波数変換により送信側の局部発振器の位相雑音をキャンセルすることができる。
【００２６】
位相雑音の影響が大きい多値変調方式は、特に近距離で大容量の伝送を必要とする回線にあてがうことが予想される。このような場合に、上述したように特定の周波数に連続して無変調のパイロットシンボルを挿入して送信することで、受信側でこのパイロットシンボルをもとに位相雑音を相殺し、スループット低下を抑圧することができる。また、周波数変換を二重に持つことなく、また固定のパイロット信号を生成、重畳する回路を必要なく、送受信にて位相雑音をキャンセルすることができる。したがって、上記第１実施形態によれば、回路規模を増大させることなく、効率良く位相雑音特性を改善することができる。
【００２７】
（第２実施形態）  
第２実施形態は、周波数軸上に複数のパイロットシンボルを挿入するものである。これにより、ヘテロダイン方式システムにおいて、受信側のパイロットシンボルの抽出と局部発振部の簡易化を行うことを可能にする。
【００２８】
第２実施形態の無線通信装置の構成は、上記第１実施形態で示した図１と受信側ブロックのパイロットシンボル抽出回路１４の詳細は異なるがその他は同様である。図３は、第２実施形態のパイロットシンボル挿入例を示したものである。
【００２９】
図４（ａ）は、パイロットシンボル抽出回路１４の構成の一例を示したものである。パイロットシンボル抽出回路１４は、低域通過フィルタ４１と、高域通過フィルタ４２とミキサ（周波数変換器）４３とを備える。図３に示すように、パイロットシンボルは、通常は抽出するフィルタの設計容易さから両サイドに挿入されるのが好ましい。図４（ａ）の構成では、低域通過フィルタ４１と高域通過フィルタ４２とを用いて周波数軸上に２つ用意されるパイロットシンボルを抽出し、ミキサ４３で差分周波数（ｆ１−ｆ２）の信号を抽出して局部発振器である受信側のＰＬＬ回路１５に供給し、そのリファレンス信号として利用する。
【００３０】
図４（ｂ）は、パイロットシンボル抽出回路１４の構成の他の構成例を示したものである。パイロットシンボル抽出回路１４は、低域通過フィルタ４１と、高域通過フィルタ４２と、セレクタ４４と、分周器（Ｎ／Ｍ）４５とを備える。図４（ｂ）の構成では、低域通過フィルタ４１と高域通過フィルタ４２とをセレクタ４４で切替えて、周波数（ｆ１）のパイロットシンボル又は周波数（ｆ２）のパイロットシンボルのいずれかを分周器４５を介してＰＬＬ回路１５にリファレンス信号として供給する。
【００３１】
なお、このセレクタ４４の選択条件と分周器４５の分周条件とパイロットシンボルの挿入先、配置条件は予め対応付けられ、パイロットシンボル挿入部１９内のメモリに記憶されている。
【００３２】
このように構成することにより、パイロットシンボルを特定の周波数間隔に複数配置することで、受信側においてパイロット周波数差分を抽出することが可能となり、ヘテロダイン方式システムにおいては特定周波数を選択・設定するための回路が不要となる。
【００３３】
（第３実施形態）  
図５は、第３実施形態のパイロットシンボル挿入例を示す概念図である。
【００３４】
図５において、各端末（ＵＳＥＲ１〜ＵＳＥＲ４）の使用するパイロットシンボルは、各端末が割り当てられた伝送領域や変調方式に応じて挿入される一例である。
【００３５】
ＷｉＭＡＸやＬＴＥなどのシステムにおいては、個々の受信側（端末）毎に使用する伝送領域、変調方式が、リンク確立時の設定条件に応じてダイナミックに変動する。即ち、どのような伝送領域と変調方式を用いるかが無線通信装置と端末との間でリンク確立時に図示されない通信制御手段により別途ネゴシエーションされ設定される。そして、設定された条件で受信する無線信号からパイロットシンボル（キャリヤ）を抽出する。この伝送領域の設定条件は、図５では各端末（ＵＳＥＲ１〜ＵＳＥＲ４）について点線等で囲まれた部分に相当し、各囲まれた部分に例えば、１２８ＱＡＭ、６４ＱＡＭ、８ＱＡＭ等の変調方式が設定される。これらの設定条件は、通信制御手段からパイロットシンボル挿入部１９等へ通知される。
【００３６】
このように、第３実施形態は各端末が使用する伝送領域や変調方式に応じてパイロットシンボルを配置するものである。さらに、受信側の受信状態をモニタすることで、パイロットシンボルの配置を動的に変更することができる。受信側の状態は、例えばＣＲＣ、ＡＲＱなどを監視する機能を持つことにより送信側においても知ることができる。
【００３７】
また送受信の周波数が同じシステム（ＴＤＤシステム）においては、端末からの着信電力をもとに端末との距離を推測することができ、パイロットシンボルの配置をそれに応じて制御することができる。例えば、着信電力が高い場合、高多値ＱＡＭ方式を選択し、位相雑音キャンセル用のパイロットシンボルを使用することでスループットを向上させることが可能となる。
【００３８】
第３実施形態の無線通信装置の構成は、上記第１実施形態で示した図１と送信側ブロックのパイロットシンボル挿入部１９の詳細は異なるがその他は同様である。
【００３９】
例えば、図５に示すように、近距離に存在して高いスループットが必要な端末ＵＳＥＲ４に対しては、パイロットシンボルを挿入する一方、遠距離に存在し、低いスループットで済む端末ＵＳＥＲ１にはパイロットシンボルを挿入しない。パイロットシンボル挿入部１９は、受信する信号品質を監視し、当該通信相手に送信する無線信号にパイロットシンボルを挿入するか否か、又はどのような挿入を行うかを選択決定する。この決定された条件は、パイロット設定情報として、パイロットシンボル挿入部１９からパイロットシンボル抽出回路１４へも通知される。パイロットシンボル抽出回路１４は、受信された無線信号から上記パイロット設定情報をもとに通信相手に割り当てられた伝送領域毎にパイロットシンボルを抽出する。ＰＬＬ回路１５は、各伝送領域毎に抽出されたパイロットシンボルからローカル信号を生成する。ミキサ１３において、このローカル信号と、ローカル信号と揃って受けた無線信号とを混合して周波数変換をすることにより、通信相手の通信条件に応じて位相雑音がキャンセルされる。
【００４０】
図６は、第３実施形態のパイロットシンボル挿入部１９の構成例を示したものである。パイロットシンボル挿入部１９は、変調方式モニタ部６１と、ＣＲＣモニタ部６２と、ＡＲＱ再送回数モニタ部６３と、端末着信電力モニタ部６４と、パイロットシンボル配置制御部６５と、ＰＨＹレイヤ生成部６６とを備える。
【００４１】
変調方式モニタ部６１、ＣＲＣモニタ部６２、ＡＲＱ再送回数モニタ部６３、及び端末着信電力モニタ部６４は、受信側ブロックの復調部１８において実施される機能手段で、これらのモニタ情報がパイロットシンボル挿入部１９に入力されるものであっても良い。
【００４２】
パイロットシンボル配置制御部６５は、例えば、以下のようにパイロットシンボルの配置制御を行う。図７は、第３実施形態のパイロット配置制御部の動作の一例を示すフローチャートである。
【００４３】
パイロットシンボル配置制御部６５は、先ず、変調方式モニタ部６１で多値変調方式として６４ＱＡＭ又は２５６ＱＡＭ等が選択されているかを判定する（ステップＳ１）。ステップＳ１の判定において、６４ＱＡＭ又は２５６ＱＡＭ等のデータ量が多くとれる多値変調方式が選択され高いスループットが要求されている場合には、端末着信電力モニタ部６４で端末の着信電力が基準値よりも高いか否かを判定する（ステップＳ２）。
【００４４】
ステップＳ２の判定において、着信電力が比較的高い、すなわち近距離に端末が存在すると判定された場合は、ＣＲＣモニタ部６２のエラー発生率、ＡＲＱ再送回数モニタ部６３の再送回数が各基準値を超えているかをそれぞれ判定する（ステップＳ３）。ステップＳ３の判定において、エラー発生率及び再送回数が各基準値を超え、エラーが多発する場合は、位相雑音の影響と判断し、位相雑音を改善するためにパイロットシンボル配置制御部６５は、当該端末のサブキャリアにパイロットシンボルを挿入する（ステップＳ４）。
【００４５】
その後、パイロットシンボル配置制御部６５は、パイロットシンボルを挿入したことによりＡＲＱ再送回数モニタ部６３でＡＲＱ再送回数が減少したか否かを判定し（ステップＳ５）、ＡＲＱ再送回数が減少していない場合には、パイロットシンボルの挿入位置を最適化する（ステップＳ６）。この最適化は、例えば、挿入位置の候補として配置先の順番を予め決めておき、ステップＳ５でＡＲＱ再送回数が減少したと判定されるまで順番に従ってパイロットシンボルを配置する操作を繰り返し行う。
【００４６】
すなわち、上記第３実施形態によれば、受信側（端末側）の通信状況に応じてスループットを最適化するようにパイロットシンボルを動的に配置することが可能となる。
【００４７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４８】
１…変調部、２…Ｄ／Ａコンバータ、３…ミキサ、４…水晶発振器、５…ＰＬＬ回路、６…送信フィルタ、７…増幅器、８…アンテナ共用器、９…アンテナ、１０…低雑音増幅器、１１…分配器、１２…遅延器、１３…ミキサ、１４…パイロットシンボル抽出回路、１５…ＰＬＬ回路、１６…受信フィルタ、１７…Ａ／Ｄコンバータ、１８…復調部、１９…パイロットシンボル挿入部、４１…低域通過フィルタ、４２…高域通過フィルタ、４３…ミキサ、４４…セレクタ、４５…分周器、６１…変調方式モニタ部、６２…ＣＲＣモニタ部、６３…ＡＲＱ再送回数モニタ部、６４…端末着信電力モニタ部、６５…パイロットシンボル配置制御部、６６…ＰＨＹレイヤ生成部。
【図１】
2011193383.tif 000003
【図２】
2011193383.tif 000004
【図３】
2011193383.tif 000005
【図４】
2011193383.tif 000006
【図５】
2011193383.tif 000007
【図６】
2011193383.tif 000008
【図７】
2011193383.tif 000009